Podtech/llm-jp-corpus-v4-ja_patent huggingface dataset:
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
フード開口（８）を有する換気フード・ハウジング（１）内の物質の拘束に関連する拘束状態を検出する少なくとも１つのセンサ（３１）と、
前記少なくとも１つのセンサによって検出された前記拘束状態を表す情報を含んだ無線信号を送信する少なくとも１つの送信機（３２）と、
前記無線信号を受信し、且つ、前記検出された拘束状態を表す前記情報に基づいて前記フード開口を通る少なくとも空気流を制御する換気フード・コントローラ（５）と、
を備える換気フード装置（１００）。
【請求項２】
請求項１に記載の装置であって、前記フード開口のサイズを調整するための移動可能な少なくとも１つのサッシ（２）を、更に備える装置。
【請求項３】
請求項１又は請求項２に記載の装置であって、前記少なくとも１つのセンサは、第１及び第２のセンサを備え、前記第１のセンサは、前記フード開口のサイズを調整するための移動可能なサッシの位置を検出し、前記第２のセンサは、前記フード開口部若しくはフード開口付近における人の存在を検出する、装置。
【請求項４】
請求項１から請求項３の何れか１項に記載の装置であって、前記少なくとも１つのセンサは、前記フード開口のサイズを調整するためのサッシの移動に基づいて開位置と閉位置との間を移動する磁気駆動リード・スイッチのアレイを備える、装置。
【請求項５】
請求項１から請求項４の何れか１項に記載の装置であって、前記少なくとも１つのセンサは、前記フード開口のサイズを調整するための移動可能なサッシに関連する信号を出力するリール形ケーブル・センサを備える、装置。
【請求項６】
請求項１から請求項５の何れか１項に記載の装置であって、前記換気フード・コントローラは、前記フード・ハウジング内に配置され、前記少なくとも１つの送信機からの前記無線信号を受信する受信機（４）を備える、装置。
【請求項７】
請求項１から請求項６の何れか１項に記載の装置であって、検出された拘束状態を表す前記情報は、前記フード開口のサイズを表す情報を含む、装置。
【請求項８】
請求項１から請求項７の何れか１項に記載の装置であって、前記換気フード・コントローラは、前記少なくとも１つの送信機からの無線信号が適切に受信されない場合に、前記換気フード内の拘束を維持するためのアクションを取るようになされる、装置。
【請求項９】
請求項１から請求項８の何れか１項に記載の装置であって、前記換気フード・コントローラは、前記フード開口を通る空気流を制御するための無線信号を空気流制御デバイス（６）に出力する、装置。
【請求項１０】
請求項１から請求項９の何れか１項に記載の装置であって、前記換気フード・コントローラは、複数の換気フードに対して検出された拘束状態情報に関する無線信号を受信するようになされ、且つ、前記検出された拘束状態情報に基づいて前記複数の換気フードの少なくとも空気流を制御するようになされる、装置。
【手続補正書】
【提出日】平成18年4月21日(2006.4.21)
【手続補正１】
【補正対象書類名】明細書
【補正対象項目名】００３４
【補正方法】変更
【補正の内容】
【００３４】
シーリング溝およびシール材穴パターンの別の実施態様を、図５のバイポーラプレート２０上に示してある。図のように、シール材は、シール材穴２１から引き込まれて、燃料ポート１５および冷却剤ポート１７をシールする。外周９およびポートを包囲するシーリング溝２３は、組立体の外周９まわりのシーリング溝と隔離されている。この実施態様においては、外周の接合には、組立体全体を外部カプセル化する必要がなく、これは熱除去に対して有利である場合がある。
図６は、シーリングチャネルおよびシール材穴のパターンの、さらに別の実施態様を示し、ここではシーリング溝２３には、周囲９およびシール材穴２１の両方を介してシール材が供給され、燃料ポート１５および冷却剤ポート１７をシールする。
【手続補正２】
【補正対象書類名】図面
【補正対象項目名】全図
【補正方法】変更
【補正の内容】
【図１】
2006502530.tif 000001
【図２】
2006502530.tif 000002
【図３】
2006502530.tif 000003
【図４】
2006502530.tif 000004
【図５】
2006502530.tif 000005
【図６】
2006502530.tif 000006
【図７】
2006502530.tif 000007
【図８】
2006502530.tif 000008
【図９】
2006502530.tif 000009
【図１０】
2006502530.tif 000010
【図１１】
2006502530.tif 000011
【図１２】
2006502530.tif 000012
【図１３】
2006502530.tif 000013
【図１４】
2006502530.tif 000014
【図１５】
2006502530.tif 000015
【図１６Ａ】
2006502530.tif 000016
【図１６Ｂ】
2006502530.tif 000017
【図１７】
2006502530.tif 000018
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
分析すべき気体の入口（ＩＣ）を備えた反応ゾーン（ＲＺ）と、少なくとも１つのイオン検出器（Ｄ）を備えたドリフトゾーン（ＤＺ）とに、帯電可能格子（Ｇ）によりに分割されたチャンバ（Ｃ）内に配置された複数の電極（Ｅi）を含むイオン移動度分光分析計を用いた、１またはそれ以上の種Ｓi（ｉ＝１，．．．，ｎ）からなる気体の分析の実施方法において、前記電極（Ｅi）は、前記ドリフトゾーン（ＤＳ）内に電界（ＥDZ）を生成し、この電界（ＥDZ）は、前記反応ゾーン（ＲＺ）内に生成される電界（ＥRZ）とは異なる大きさを有し、前記の各電界（ＥRZ，ＥDZ）はそれぞれ、前記の反応ゾーンおよびドリフトゾーン内においては、前記チャンバ（Ｃ）の長手方向軸（ｘ）に沿った空間内にて、均一であることを特徴とする方法。
【請求項２】
少なくとも１つの種Ｓi（ｉ＝１，．．．，ｎ）の濃度が、前記分光分析計の読取り上限よりも高い場合、前記反応ゾーン（ＲＺ）内の電界（ＥRZ）の大きさが増大されることを特徴とする請求１に記載の方法。
【請求項３】
少なくとも１つの種Ｓi（ｉ＝１，．．．，ｎ）の濃度が、前記分光分析計の読取り下限よりも低い場合に、前記反応ゾーン（ＲＺ）内の電界（ＥRZ）の大きさが低減されることを特徴とする請求１に記載の方法。
【請求項４】
予備分析の結果として得たスペクトルの解釈が、部分的ピークの重複や高い基線、またはバックグラウンド種とイオンＳi+との相互作用に起因するピークの存在、のために困難である場合に、前記ドリフトゾーン（ＤＺ）内の電界（ＥDZ）の大きさが増大されることを特徴とする請求項１に記載の方法。
【請求項５】
それぞれ機器の読取り上限または下限よりも高いかまたは低い、少なくとも１つの種Ｓiの前記濃度条件または、前記の困難なスペクトル解釈の条件が、マイクロプロセッサを備えるプログラマブル制御ユニットにより検査され、このユニットが、これらの検査に基づいて、前記ＥRZまたはＥDZの値を自動的にかつ実時間で修正することを特徴とする請求項２〜４のいずれか一項に記載の方法。
【請求項６】
分析すべき気体の入口（ＩＣ）を備えた反応ゾーン（ＲＺ）と、少なくとも１つのイオン検出器（Ｄ）を備えたドリフトゾーン（ＤＺ）とに、帯電可能格子（Ｇ）により分割されたチャンバ（Ｃ）内に配置された複数の電極（Ｅi）を含み１またはそれ以上の種Ｓi（ｉ＝１，．．．，ｎ）からなる気体のイオン移動度分光分析を実施するための機器において、前記チャンバ（Ｃ）を横断する軸（ｘ）に沿って不均一な電界を生成すべく、前記電極（Ｅi）の電位を変化させるための少なくとも１つの制御回路を含み、該制御回路は、前記の反応ゾーンとドリフトゾーン（ＲＺ、ＤＺ）内にて前記チャンバ（Ｃ）の長手方向軸（ｘ）に沿って異なる大きさを有する２つの均一な電界（ＥRZ、ＥDZ）を生成する電位に、反応ゾーン（ＲＺ）内の電極（Ｅ1、Ｅ2，．．．Ｅg）およびドリフトゾーン（ＤＺ）内の電極（Ｅg，Ｅg+1，．．．，Ｅn）を設定するための手段を含んでなることを特徴とする機器。
【請求項７】
前記制御回路は、前記反応ゾーン（ＲＺ）内の電極（Ｅ1，Ｅ2，．．．Ｅｇ）用の高圧電源（ＰＲＺ）および前記ドリフトゾーン（ＤＺ）内の電極（Ｅg，Ｅg+1，．．．，Ｅn）用の高圧電源（ＰＤＺ）を含んでなり、これら高圧電源（ＰＲＺ、ＰＤＺ）は相互に電気的に絶縁されており、かつ、前記格子（Ｇ）に最も近い電極（Ｅg）に接続された共通の接続点（ＣＪ）に直列接続されていることを特徴とする請求項６に記載の機器。
【請求項８】
前記電源（ＰＲＺ、ＰＤＺ）が、前記反応ゾーン（ＲＺ）およびドリフトゾーン（ＤＺ）の電極（Ｅi）を２つずつ互いに接続する一連の抵抗（ＲＲ、ＲＤ）を含む抵抗分圧器に接続されることを特徴とする請求項７に記載の機器。
【請求項９】
前記抵抗分圧器は、シャント抵抗（ＳＲ）によって接地され、このシャント抵抗器の端部には、同じ分圧器に通電される電流に比例した信号を取り出すための端子（Ｔ）が配置されることを特徴とする請求項８に記載の機器。
【請求項１０】
前記電源（ＰＧ）が、光絶縁回路（ＯＩＣ）を介して前記格子（Ｇ）の部材に接続されることを特徴とする請求項８または９に記載の機器。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
光を放射するための複数のＬＥＤと、調整電力を該ＬＥＤに伝達するための電線用導管を有し、該ＬＥＤに熱的に結合した放熱板とを含む光学モジュールと、
入力電力を受けるようになった入力電気インタフェースと、前記光学モジュールに固く取り付けられた調整電力を前記電線用導管に送出するための出力カプラとを含み、該入力電気インタフェースを該出力カプラに電気的に結合するための電気調整回路を更に含む電子機器モジュールと、
を含むことを特徴とするランプ。
【請求項２】
第２の入力電力を受けるようになった第２の入力電気インタフェースと、前記電子機器モジュールの前記出力カプラと同一の出力カプラとを含み、該入力電気インタフェースを該出力カプラに電気的に結合するための第２の電気調整回路を更に含む第２の電子機器モジュール、
を更に含み、
前記電子機器モジュール及び前記第２の電子機器モジュールの各々は、前記光学モジュールを前記入力電力及び前記第２の入力電力の一方に選択可能に適応させるために該光学モジュールに選択可能かつ取外し可能に取付けることができる、
ことを特徴とする請求項１に記載のランプ。
【請求項３】
第１の側面と、第２の側面と、該第１の側面及び該第２の側面を接続する導菅とを有する放熱板、
を含み、
前記第２の側面は、各々が選択された入力電力を調整出力電力に変換するようになった関連の複数の電気アダプタのいずれか１つと接続するようになっており、
前記放熱板の前記第１の側面に配置されてそれと熱的に連通し、前記選択されたアダプタから前記導菅を通じて前記調整電力を受け取る複数の発光ダイオード、
を更に含むことを特徴とする発光装置。
【請求項４】
前記放熱板の前記第１の側面に配置されてそれと熱的に連通し、前記複数の発光ダイオードが配置されたｐｃ基板、
を更に含むことを特徴とする請求項３に記載の発光装置。
【請求項５】
ＭＲ又はＰＡＲ型ランプを電気レセプタクルに収容するように構成されたランプ取付具を改良してＬＥＤベースのランプを換装する方法であって、
少なくともＭＲ又はＰＡＲ型ランプの直径に適合するＬＥＤベースのランプを選択する段階と、
ランプ取付具の電気レセプタクルに適合するコネクタモジュールを選択する段階と、
前記選択されたＬＥＤベースのランプと前記選択されたコネクタモジュールとを機械的に接合してその間の電気的結合を達成し、ＬＥＤベースの換装ユニットを形成する段階と、
を含むことを特徴とする方法。
【請求項６】
前記機械的に接合する段階は、
前記選択されたＬＥＤベースのランプと前記選択されたコネクタモジュールとを取外し可能に取り付けて前記ＬＥＤベースの換装ユニットを形成する段階、
を含むことを特徴とする請求項５に記載の換装方法。
【請求項７】
プリント回路基板上に配置された複数のＬＥＤ、及び
電力を伝えるための電線用導管が通っており、前記複数のＬＥＤと熱的に連通する放熱板、
を有する光学機器モジュールと、
前記放熱板の前記電線用導管を通じて前記複数のＬＥＤに電力を伝えるようになった電子機器モジュールと、
を含み、
前記電子機器モジュールは、前記放熱板と接続するようになった第１の端部と、電力を受け取るために第２の端部上に配置された選択された電気コネクタとを有し、
前記電子機器モジュールはまた、前記受け取った電力を前記ＬＥＤを駆動するように適応させるための回路を内部に配置する、
ことを特徴とするランプ。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
多重スレッド・プロセッサに関連付けられたメモリにアクセスする方法であって、
前記多重スレッド・プロセッサの特定のスレッドに関連付けられたスレッド識別子を決定する工程と、
前記スレッド識別子の少なくとも部分を使用して、対応するプロセッサ・スレッドでアクセスすべき前記メモリの特定の部分を選択する工程とを備え、
前記選択する工程がさらに、前記スレッド識別子の第１の部分を使用して前記メモリの中の複数の複数バンク・メモリ要素のうちの１つを選択する工程と、前記スレッド識別子の第２の部分を使用して前記複数バンク・メモリ要素の前記選択された１つの中の複数のメモリ・バンクのうちの１つを選択する工程とを備えることを特徴とする方法。
【請求項２】
前記第１の部分が、前記スレッド識別子の１つまたは複数の最上位のビットを含むことを特徴とする請求項１に記載の方法。
【請求項３】
前記第２の部分が、前記スレッド識別子の１つまたは複数の最下位のビットを含むことを特徴とする請求項１に記載の方法。
【請求項４】
前記複数バンク・メモリ要素の各々が、偶数のメモリ・バンクおよび奇数のメモリ・バンクを含み、そして前記第２の部分の最下位ビットを用いて、前記対応するプロセッサ・スレッドによるアクセスのために前記偶数メモリ・バンクと前記奇数メモリ・バンクのうちの１つを選択することを特徴とする請求項１に記載の方法。
【請求項５】
前記メモリが、前記多重スレッド・プロセッサに結合された主メモリを含むことを特徴とする請求項１に記載の方法。
【請求項６】
前記メモリが、前記多重スレッド・プロセッサのデータ・メモリを含むことを特徴とする請求項１に記載の方法。
【請求項７】
前記メモリが、前記多重スレッド・プロセッサのキャッシュ・メモリを含むことを特徴とする請求項１に記載の方法。
【請求項８】
前記キャッシュ・メモリが複数のスレッド・キャッシュを備え、前記スレッド・キャッシュのうちの少なくとも所定の１つが、１つまたは複数の組の記憶場所を有するメモリ・アレイを含むことを特徴とする請求項７に記載の方法。
【請求項９】
前記所定のスレッド・キャッシュが、前記スレッド識別子を格納するスレッド識別子レジスタをさらに含むことを特徴とする請求項８に記載の方法。
【請求項１０】
前記多重スレッド・プロセッサが、トークン起動スレッディングを使用するように構成されていることを特徴とする請求項１に記載の方法。
【請求項１１】
前記トークン起動スレッディングが、トークンを使用して、次のクロック・サイクルの命令を発行することを許可される特定のコンテキストを現在プロセッサ・クロック・サイクルに関連して識別することを特徴とする請求項１０に記載の方法。
【請求項１２】
前記多重スレッド・プロセッサが、パイプライン命令処理のために構成されていることを特徴とする請求項１に記載の方法。
【請求項１３】
多重スレッド・プロセッサと、
前記多重スレッド・プロセッサに関連付けられたメモリとを備えるプロセッサ・システムにおいて、
前記多重スレッド・プロセッサは、前記多重スレッド・プロセッサの特定のスレッドに関連付けられたスレッド識別子を決定し、かつ前記スレッド識別子の少なくとも部分を使用して前記対応するプロセッサ・スレッドでアクセスすべき前記メモリの特定の部分を選択するように動作するものであり、
前記スレッド識別子の第１の部分を使用して前記メモリの中の複数の複数バンク・メモリ要素のうちの１つを選択し、そして、前記スレッド識別子の第２の部分を使用して前記複数バンク・メモリ要素の前記選択された１つの中の複数のメモリ・バンクのうちの１つを選択することを特徴とするプロセッサ・システム。
【請求項１４】
多重スレッド・プロセッサに関連付けられたメモリにアクセスする際に使用するための具現されたプログラム・コードを有する機械読出し可能な記憶媒体を含む物品であって、前記プロセッサで実行されるとき前記プログラム・コードが、
前記多重スレッド・プロセッサの特定のスレッドに関連付けられたスレッド識別子を決定する工程と、
前記スレッド識別子の少なくとも部分を使用して、対応するプロセッサ・スレッドでアクセスすべき前記メモリの特定の部分を選択する工程とを実施するものであり、
前記選択する工程がさらに、前記スレッド識別子の第１の部分を使用して前記メモリの中の複数の複数バンク・メモリ要素のうちの１つを選択する工程と、前記スレッド識別子の第２の部分を使用して前記複数バンク・メモリ要素の前記選択された１つの中の複数のメモリ・バンクのうちの１つを選択する工程とを備えることを特徴とする物品。
【手続補正２】
【補正対象書類名】明細書
【補正対象項目名】０００２
【補正方法】変更
【補正の内容】
【０００２】
本発明は、「Ｍｕｌｔｉｔｈｒｅａｄｅｄ  Ｐｒｏｃｅｓｓｏｒ  Ｗｉｔｈ  Ｅｆｆｉｃｉｅｎｔ  Ｐｒｏｃｅｓｓｉｎｇ  Ｆｏｒ  Ｃｏｎｖｅｒｇｅｎｃｅ  Ｄｅｖｉｃｅ  Ａｐｐｌｉｃａｔｉｏｎｓ」という名称の米国特許第６，９６８，４４５号（２００５年１１月２２日発行）明細書、「Ｍｅｔｈｏｄ  ａｎｄ  Ａｐｐａｒａｔｕｓ  ｆｏｒ  Ｒｅｇｉｓｔｅｒ  Ｆｉｌｅ  Ｐｏｒｔ  Ｒｅｄｕｃｔｉｏｎ  ｉｎ  ａ  Ｍｕｌｔｉｔｈｒｅａｄｅｄ  Ｐｒｏｃｅｓｓｏｒ」という名称の米国特許第６，９０４，５１１号（２００５年６月７日発行）明細書、および「Ｍｅｔｈｏｄ  ａｎｄ  Ａｐｐａｒａｔｕｓ  ｆｏｒ  Ｔｏｋｅｎ  Ｔｒｉｇｇｅｒｅｄ  Ｍｕｌｔｉｔｈｒｅａｄｉｎｇ」という名称の米国特許第６，８４２，８４８号（２００５年１月１１日発行）明細書に記載されている発明に関係している。これらの出願の全ては、本出願と共に同時に出願され、参照して本明細書に組み込まれる。
【手続補正３】
【補正対象書類名】明細書
【補正対象項目名】０００７
【補正方法】変更
【補正の内容】
【０００７】
従来のメモリ・アクセス技術の重大な問題は、そのような技術は一般に多重スレッド・プロセッサ、すなわち複数の別個の命令シーケンスまたは「スレッド」の同時実行をサポートするプロセッサ、で使用するために最適化されていないことである。例えば、多重スレッド・プロセッサに適用されるとき従来メモリ・アクセス技術は、非常に多数の読出しおよび書込みポートを必要とすることが多く、これによって電力消費が過度に大きくなる。その上、多重スレッド・プロセッサに適用されるときそのような技術は、特定のプロセッサ・スレッドの機能停止およびメモリ・アクセス時間の増加をもたらすことがある。
【特許文献１】米国特許第６，９６８，４４５号明細書
【特許文献２】米国特許第６，９０４，５１１号明細書
【特許文献３】米国特許第６，８４２，８４８号明細書
【特許文献４】米国特許出願番号１０／１６１，７７４
【特許文献５】米国特許出願番号１０／１６１，８７４
【特許文献６】米国仮出願番号６０／３４１，２８９
【非特許文献１】Ｍ．Ｊ．Ｆｌｙｎｎ、「Ｃｏｍｐｕｔｅｒ  Ａｒｃｈｉｔｅｃｔｕｒｅ：  Ｐｉｐｌｉｎｅｄ  ａｎｄ  Ｐａｒａｌｌｅｌ  Ｐｒｏｃｅｓｓｏｒ  Ｄｅｓｉｇｎ」、Ｊｏｎｅｓ  ａｎｄ  Ｂａｒｔｌｅｔｔ  Ｐｕｂｌｉｓｈｅｒｓ、  Ｂｏｓｔｏｎ，ＭＡ、１９９５年
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
グローバル分散型ネットワーク内のサーバにアクセスする方法であって、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードにおいてタイマ値とともに増加する確率関数に基づいて前記サーバプロキシクラスタのノードの少なくとも一つを更新することを含む方法。
【請求項２】
グローバル分散型ネットワーク内のサーバにアクセスする方法であって、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードの数とともに増加する確率関数に基づいて前記サーバプロキシクラスタのノードの少なくとも一つを更新することを含む方法。
【請求項３】
グローバル分散型ネットワーク内のサーバにアクセスする装置であって、
（ａ）サーバプロキシクラスタのノードにおいてユーザからの要求を受信する手段と、
（ｂ）動作セッションが前記ユーザのために確立されたかを判定する手段と、
（ｃ）もしも動作セッションが前記ユーザのために確立されたのであれば、前記要求を前記サーバに送る手段と、
（ｄ）前記動作セッションが前記ユーザのために確立されたという情報を用いて前記サーバプロキシクラスタの少なくとも一つのノードを更新する手段とを備え、
前記更新する手段は、前記サーバプロキシクラスタのノードにおいてタイマ値とともに増加する確率関数に基づいて前記サーバプロキシクラスタのノードの少なくとも一つを更新する手段を含む装置。
【請求項４】
グローバル分散型ネットワーク内のサーバにアクセスする装置であって、
（ａ）サーバプロキシクラスタのノードにおいてユーザからの要求を受信する手段と、
（ｂ）動作セッションが前記ユーザのために確立されたかを判定する手段と、
（ｃ）もしも動作セッションが前記ユーザのために確立されたのであれば、前記要求を前記サーバに送る手段と、
（ｄ）前記動作セッションが前記ユーザのために確立されたという情報を用いて前記サーバプロキシクラスタの少なくとも一つのノードを更新する手段とを備え、
前記更新する手段は、前記サーバプロキシクラスタのノードの数とともに増加する確率関数に基づいて前記サーバプロキシクラスタのノードの少なくとも一つを更新する手段を含む装置。
【請求項５】
グローバル分散型ネットワーク内のサーバにアクセスする方法を組み込んだコンピュータ読取可能媒体であって、前記方法は、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードにおいてタイマ値とともに増加する確率関数に基づいて前記サーバプロキシクラスタのノードの少なくとも一つを更新することを含むコンピュータ読取可能媒体。
【請求項６】
グローバル分散型ネットワーク内のサーバにアクセスする方法を組み込んだコンピュータ読取可能媒体であって、前記方法は、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードの数とともに増加する確率関数に基づいて前記サーバプロキシクラスタのノードの少なくとも一つを更新することを含むコンピュータ読取可能媒体。
【請求項７】
グローバル分散型ネットワーク内のサーバにアクセスするサーバプロキシクラスタであって、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードにおいてタイマ値とともに増加する確率関数に基づいて前記サーバプロキシクラスタのノードの少なくとも一つを更新することを含むサーバプロキシクラスタ。
【請求項８】
グローバル分散型ネットワーク内のサーバにアクセスするサーバプロキシクラスタであって、
（ａ）サーバプロキシクラスタのノードにおいてユーザからの要求を受信することと、
（ｂ）動作セッションが前記ユーザのために確立されたかを判定することと、
（ｃ）もしも動作セッションが前記ユーザのために確立されたのであれば、前記要求を前記サーバに送ることと、
（ｄ）前記動作セッションが前記ユーザのために確立されたという情報を用いて前記サーバプロキシクラスタの少なくとも一つのノードを更新することとを備え、
前記更新することは、前記サーバプロキシクラスタのノードの数とともに増加する確率関数に基づいて前記サーバプロキシクラスタのノードの少なくとも一つを更新することを含むサーバプロキシクラスタ。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
センス増幅器（２０）であって、
複数のトランジスタパスゲート対（２２、２４および２６，２８）であって、各々が、メモリの所定のビット線（ＢＬｘ）と相補ビット線（ＢＬｘｂａｒ）の対にそれぞれ接続する第１及び第２の入力部、並びにメモリデータ経路（ＤＬ）及び相補メモリデータ経路（ＤＬｂａｒ）にそれぞれ接続する第１及び第２の出力部、を有する複数のトランジスタパスゲート対（２２、２４および２６，２８）と、
差動データ信号を受信するためのメモリデータ経路（ＤＬ）及び相補データ経路（ＤＬｂａｒ）にそれぞれ接続する第１及び第２入力部を有するパストランジスタ対（３０，３１）であって、センスイネーブル（ＳＥ）信号に応答して、その第１出力部（３３）及び第２出力部（３５）で前記データ経路及び前記相補データ経路をそれぞれ接続し、前記パストランジスタ対の第１及び第２入力部は、前記パストランジスタ対が前記センスイネーブル（ＳＥ）信号によってディスエーブル状態になった時、その第１出力部及び第２出力部と電気的に同じではない前記パストランジスタ対（３０，３１）と、
前記パストランジスタ対の第１出力部（３３）に接続する第１入力部、前記パストランジスタ対の第２出力部に接続する第２入力部、及び相補型のセンス増幅器データ信号を供給するための第１出力部（３３）及び第２出力部（３５）、を有する増幅器（３２，３４，３６，３８）であって、前記センスイネーブル（ＳＥ）信号によって制御され、又、前記パストランジスタ対が、前記センスイネーブル信号によって非導通状態になった時のみ動作状態になる増幅器（３２，３４，３６，３８）と、
を備えるセンス増幅器（２０）。
【請求項２】
請求項１に記載のセンス増幅器であって、更に、前記増幅器は、
第１電源端子に接続する第１電流電極、前記増幅器の第１入力部に接続する制御電極、及び前記増幅器の第２入力部に接続する第２電極、を有する第１の導電型の第１のトランジスタ（３２）と、
同第１のトランジスタの第２電流電極に接続する第１の電流電極、前記増幅器の第１の入力部に接続する制御電極、及び第２の電流電極、を有する第２の導電型の第２のトランジスタ（３４）と、
第１の電源端子に接続する第１の電流電極、前記増幅器の第２の入力部に接続する制御電極、及び第２電流電極、を有する第１の導電型の第３のトランジスタ（３６）と、
前記増幅器の第１の入力部に接続する第１の電流電極、前記増幅器の第２の入力部に接続する電流電極、及び第２のトランジスタの第２の電流電極に接続する第２の電流電極、
を有する第２の導通型の第４のトランジスタ（３８）と、
第２のトランジスタの第２の電流電極及び第４のトランジスタの第２の電流電極に接続する第１電流電極、センスイネーブル信号を受信するための制御電極、及び第２の電源端子に接続する第２の電流電極、を有する第２の導通型の第５のトランジスタ（３９）と、を備えるセンス増幅器。
【請求項３】
請求項１に記載のセンス増幅器であって、更に、前記増幅器には、
データ経路に接続する第１の電流電極、第１の出力部に接続する第２の電流電極、及び第２の出力部に接続する制御電極、を有する第１の導通型の第１のトランジスタ（６０）と、
第１のトランジスタの第２の電流電極に接続する第１の電流電極、第２の電流電極、及び第１トランジスタの制御電極に接続する制御電極、を有する第２の導通型の第２のトランジスタ（６３）と、
相補データ経路に接続する第１の電流電極、第２の出力部に接続する第２の電流電極、及び第１の出力部に接続する制御電極、を有する第１の導通型の第の３トランジスタ（６４）と、
第３のトランジスタの第２の電流電極に接続する第１の電流電極、第２のトランジスタの第２の電流電極に接続する第２電流電極、及び第１の出力部に接続する制御電極、を有する第２の導通型の第４のトランジスタ（６６）と、
第２のトランジスタと第４トランジスタの双方の第２の電流電極に接続する第１の電流電極、センスイネーブル信号を受信するための制御電極、及び電源端子に接続する第２の電流電極、を有する第２の導通型の第５のトランジスタ（６８）と、
を備えるセンス増幅器。
【請求項４】
前記複数のトランジスタパスゲート対は、メモリの列の数に等しい請求項１に記載のセンス増幅器。
【請求項５】
前記データ経路はメモリビット線である請求項１に記載のセンス増幅器。
【請求項６】
前記データ経路はメモリデータ線である請求項１に記載のセンス増幅器。
【請求項７】
第１のデータ経路（ＢＬ）に接続する第１の入力部、第１の相補データ経路（ＢＬｂａｒ）に接続する第２の入力部、第２のデータ経路（ＢＬ）に接続する出力部、及び第２の相補データ経路（ＢＬｂａｒ）に接続する相補出力部、を有するカスコード段（８０，８４）と、
第２のデータ経路及び第２の相補データ経路に接続する第１の電流電極対、制御電極、及び第３のデータ経路（ＢＬ）及び第３の相補データ経路（ＢＬｂａｒ）に接続する第２の電流電極対、を有する結合器（９０，９２）と、
第３のデータ経路に接続する第１の入力部、第３の相補データ経路に接続する第２の入力部、第３のデータ経路に接続する制御入力部、及び第３の相補データ経路に接続する相補制御入力部を有するラッチ（９６，９８）と、
を備えるセンス増幅器（７２）。
【請求項８】
入力導線対（ＤＬおよびＤＬｂａｒ）上の差動信号を検出する方法であって、
メモリの所定のビット線（ＢＬｘ）と相補ビット線（ＢＬｘｂａｒ）との対にそれぞれ接続する第１及び第２の入力部を有する複数のトランジスタパスゲート対（２２、２４および２６，２８）を介して、入力導体の対に差動信号を送る工程と、
センスイネーブル（ＳＥ）信号に応答して、第１の出力部（３３）及び第２の出力部（３５）に前記入力導線対を接続するためにパストランジスタ対（３０，３１）を用いる工程であって、同パストランジスタ対（３０，３１）の第１のパストランジスタは、前記差動信号の第１の信号に接続する入力部を有し、同イネーブル信号に応答して、第１の出力部に第１の信号を電気的に接続し、又、前記パストランジスタ対の第２のパストランジスタは、前記差動信号の第２の信号に接続する入力部を有し、前記センスイネーブル信号に
応答して、第２の出力部に第２の信号を電気的に接続する工程と、
増幅器（３２，３４，３６および３８）の第１の入力部を第１の出力部（３３）に接続し、前記増幅器の第２の入力部を第２の出力部（３５）に接続し、又、前記増幅器の第１及び第２の出力部をデータ線導線対に接続する工程であって、前記増幅器は、前記センスイネーブル信号によって制御され、又、前記パストランジスタ対が前記センスイネーブル信号によって非導通状態にされた時のみ動作状態になる工程と、
からなる方法。
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
電子装置（１）のハウジングを壁又は家具の部品等の表面に解放可能に取り付けるための取付けアセンブリにおいて、前記表面に配置されるための受容手段（１４〜１７）と、該受容手段と係合するための、ハウジングに配置されるための係合手段（２）とが設けられており、前記ハウジングを取付けアセンブリにロックするために前記受容手段がハウジングの少なくとも１つの通気凹所（４）と協働することを特徴とする、取付けアセンブリ。
【請求項２】
前記係合手段が、受容手段に可動に受容されるための第１の部分を有しており、前記受容手段が可動部分を有しており、該可動部分が、第１の位置において前記係合手段を前記受容手段内にロックするためにハウジングの通気凹所と協働し、また、第２の位置において係合手段の取外しを許容する、請求項１記載の取付けアセンブリ。
【請求項３】
係合手段の第１の部分が滑動片によって形成されている、請求項２記載の取付けアセンブリ。
【請求項４】
受容手段が、前記滑動片を滑動可能に支持するための案内手段を有している、請求項３記載の取付けアセンブリ。
【請求項５】
前記案内手段が、滑動片の寸法に合わせて形成された少なくとも１つのＵ字形の溝（１５）によって形成されている、請求項４記載の取付けアセンブリ。
【請求項６】
受容手段の前記可動部分が、ロック位置においてハウジングの下側から突出する弾性的なブラケット又はレバー（６）から成っており、これにより、使用者は突出部分を押圧することによって前記係合手段をロック解除することができる、請求項２から５までのいずれか１項記載の取付けアセンブリ。
【請求項７】
係合手段をハウジングに固定するための少なくとも１つの固定手段が設けられており、該少なくとも１つの固定手段が、ハウジングの通気穴の寸法に合わせて形成された寸法を有する、請求項１から６までのいずれか１項記載の取付けアセンブリ。
【請求項８】
固定手段がねじ（３）である、請求項７記載の取付けアセンブリ。
【請求項９】
モデム等の電子装置（１）において、ハウジングの側部に複数の通気穴（４）が設けられており、該通気穴のうちの少なくとも１つが、取付けアセンブリであってその少なくとも一部が表面に固定されるようになっている取付けアセンブリの係合手段（２）と協働して、前記ハウジングを前記取付けアセンブリにロックすることを特徴とする、モデム等の電子装置。
【請求項１０】
前記係合手段が、ハウジングの前記少なくとも１つの通気穴に受容されるための少なくとも１つの突起が設けられた可動部分含む、請求項９記載の取付けアセンブリ。
【請求項１１】
係合手段及び受容手段が１つの型を使用して成形によって製造される、請求項１から８までのいずれか１項記載の取付けアセンブリを製造する方法。
【手続補正書】
【提出日】平成17年12月21日(2005.12.21)
【手続補正１】
【補正対象書類名】特許請求の範囲
【補正対象項目名】請求項１
【補正方法】変更
【補正の内容】
【請求項１】
第１の移動体端末（１１０）への第１の無線リンクのビットレートを制御するために構成された無線制御エンティティＲＣＥ（１１４）に常駐する第１のレート制御手段（１１２）と、第２の端末（１１０）への第２のリンクのビットレートを制御するために構成された第２のレート制御手段（１１２）と、第１のネゴシエーション手段と、第２のネゴシエーション手段とを少なくとも有する通信システムであって、
前記第１のレート制御手段（１１２）は、前記第１の無線リンクのビットレートの変更について前記第２のレート制御手段に通知する手段を有し、
前記第１及び第２のネゴシエーション手段は、前記第２のリンクのビットレートの対応する変更をネゴシエートする手段を有し、
前記第１及び第２のレート制御手段（１１２）は、各移動体端末（１１０）に通知をしてそのアプリケーションレイヤのビットレートを適宜変更する手段を有していることを特徴とするシステム。
【手続補正２】
【補正対象書類名】特許請求の範囲
【補正対象項目名】請求項９
【補正方法】変更
【補正の内容】
【請求項９】
第１の移動体端末への第１の無線リンクのビットレートを制御する、無線制御エンティティＲＣＥに常駐する第１のレート制御手段と、第２の端末への第２のリンクのビットレートを制御する第２のレート制御手段と、第１のネゴシエーション手段と、第２のネゴシエーション手段とを少なくとも有する通信システムにおける方法であって、
前記方法は、
前記第１の無線リンクのビットレートの変更について前記第２のレート制御手段に通知する工程（４０１）と、
前記第１のネゴシエーション手段と前記第２のネゴシエーション手段との間で、前記第２のリンクのビットレートの対応する変更をネゴシエートする工程（４０２）と、
前記第１及び第２の移動体端末にそのアプリケーションレイヤのビットレートを適宜変更するよう通知する工程（４０３）を有していることを特徴とする方法。
【手続補正３】
【補正対象書類名】特許請求の範囲
【補正対象項目名】請求項１９
【補正方法】変更
【補正の内容】
【請求項１９】
第１の移動体端末（１１０）への第１の無線リンクのビットレートを制御する手段を有する通信システムにおける無線制御エンティティＲＣＥ（１１４）に常駐するレート制御装置（１１２）であって、
前記第１の無線リンクのビットレートの変更について第２の移動体端末（１１０）への第２の無線リンクのビットレートを制御する第２のレート制御手段に通知する手段と、
第１のネゴシエーション手段と第２のネゴシエーション手段の間における、前記第２の無線リンクのビットレートの対応する変更のネゴシエーションによる結果を受信する手段と、
前記第１の移動体端末に通知をしてそのアプリケーションレイヤビットレートを適宜変更する手段を有していることを特徴とするレート制御装置（１１２）。
【手続補正４】
【補正対象書類名】特許請求の範囲
【補正対象項目名】請求項２０
【補正方法】変更
【補正の内容】
【請求項２０】
前記第１のネゴシエーション手段は、前記レート制御装置に置かれることを特徴とする請求項１９に記載のレート制御装置（１１２）。
【手続補正書】
【提出日】平成18年6月23日(2006.6.23)
【手続補正１】
【補正対象書類名】明細書
【補正対象項目名】００４８
【補正方法】変更
【補正の内容】
【００４８】
配送キーイベント決定部２２に設定されたキーイベント確定集合のデータ構造の一例を図６に示す。設定管理情報４０は、設定されている複数のキーイベント確定集合データ４４のアドレス４２ａ、４２ｂ、４２ｃ、４２ｄの一覧を含んでいる。各キーイベント確定集合データ４４は、その集合に属する各キーイベントの情報を示すキーイベント情報４８のアドレス４６ａ、４６ｂ、４６ｃ、４６ｄを含んでいる。そして、キーイベント情報４８は、キーイベントを特定するための情報として、押下や押上などイベントの種類を表すイベント種別５０と、どのキーに対応したイベントであるかを示すキーコード５２を含んでいる。なお、キーイベント情報４８は、キーイベントを特定可能な任意の情報であればよく、イベント種別５０およびキーコード５２をキーイベント情報４８として記述する替わりに、キーイベントごとにＩＤを割り当て、そのＩＤをキーイベント情報４８として記述してもよい。キーイベント確定集合の設定は、システム開発時に静的に組み込んでおく他、アプリケーションの要求に応じて動的に任意のタイミングで設定することも可能である。このキーイベント確定集合は、単一のキーイベントだけではキー操作の結果が確定しないようなキーイベントを構成要素とし、キー操作が確定されるのに必要なキーイベント全てを含むように設定される。
【手続補正２】
【補正対象書類名】明細書
【補正対象項目名】０１２２
【補正方法】変更
【補正の内容】
【０１２２】
実施の形態５が実施の形態３と異なる点は、キーイベント配送部１８の替わりにキーイベント分配配送部９０を設けた点である。キーイベント分配配送部９０は、押下キーイベント処理部７８または押上キーイベント処理部８０から渡されたキーイベントがグラブウィンドウ１０から優先取得要求されたものか否かを優先取得受付部１４に問い合わせ、優先取得要求されたものであった場合は、このキーイベントをグラブウィンドウ１０に配送する。一方、渡されたキーイベントがグラブウィンドウ１０から優先取得要求されたものでなかった場合は、このキーイベントをフォーカスウィンドウ３４に配送する。
【手続補正３】
【補正対象書類名】図面
【補正対象項目名】図２０
【補正方法】変更
【補正の内容】
【図２０】
2006502651.tif 000001
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
ａ）アナログ信号を受け取り、前記アナログ信号に応じたデューティサイクルを有するパルス幅変調信号を出力するパルス幅変調器と、
ｂ）前記パルス幅変調信号を受け取り、前記パルス幅変調信号のデューティサイクルに基づいて前記アナログ信号に比例したデジタル値を決定するデューティサイクル機構と、
を備え,
前記パルス幅変調器は、入力及び出力を有するコンパレータと、第１の入力、第２の入力、及び出力を有する演算増幅器を備え、前記演算増幅器の出力は前記コンパレータの入力に接続され、前記コンパレータの出力は前記演算増幅器の第１の入力にフィードバックされ、前記コンパレータは当該コンパレータ出力にヒステリシスを与えるインバータを含む、
アナログデジタル変換器。
【請求項２】
ａ）アナログ信号を受け取り、前記アナログ信号に応じたデューティサイクルを有するパルス幅変調信号を出力するパルス幅変調器と、
ｂ）前記パルス幅変調信号を受け取り、前記パルス幅変調信号のデューティサイクルに基づいて前記アナログ信号に比例したデジタル値を決定するデューティサイクル機構と、
を備え,
前記パルス幅変調器は、入力及び出力を有するコンパレータと、第１の入力、第２の入力、及び出力を有する演算増幅器を備え、前記演算増幅器の出力は前記コンパレータの入力に接続され、前記コンパレータの出力は前記演算増幅器の第１の入力にフィードバックされ、、さらに前記コンパレータの出力はフィードバック経路により前記コンパレータの入力にもフィードバックされ、さらに、前記演算増幅器の出力と前記コンパレータの入力間に接続される第１の抵抗と、前記フィードバック経路内において前記コンパレータの出力と前記コンパレータの入力間に接続される第２の抵抗を備え、前記第１及び第２の抵抗は前記コンパレータの出力にヒステリシスを与えるように選択される、
アナログデジタル変換器。
【請求項３】
ａ）電圧のアナログ入力信号を受け取るステップと、
ｂ）前記アナログ入力信号を、前記アナログ信号の電圧に応じたデューティサイクルを有するパルス幅変調信号に変換するステップと、
ｃ）前記パルス幅変調信号のデューティサイクルを決定するステップと、
ｄ）前記デューティサイクルから前記アナログ信号の電圧に比例したデジタル値を出力するステップと、
を備える方法。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
ビデオ信号を同調するためのチューナと、該チューナを制御するためのコントローラと、該チューナからの同調された信号を受信し、少なくとも１つの制御信号を該コントローラに供給するためのステージとを有するテレビジョンシステムであって、
該ステージはフェーズロックループを含み、該制御信号は、該フェーズロックループから生じるロック信号を含む、
ことを特徴とするテレビジョンシステム。
【請求項２】
該テレビジョンシステムは、該ステージから生じるビデオ信号を同期させ、該コントローラに少なくとも１つの同期信号を供給するための同期発生手段を有し、該コントローラは、該ロック信号に依存して、該同期信号であるか否かを考慮するためのスイッチを含む、
請求項１記載のテレビジョンシステム。
【請求項３】
該コントローラは、高速チューニングモードで、１以上のアクティブチャネル近くの１以上の周波数が検出されるように該チューナを制御し、該コントローラは、ファイン・チューニングモードで、１以上のチャネル周波数が識別されるように該チューナを制御する、
請求項２記載のテレビジョンシステム。
【請求項４】
該ステージは、ファイン・チューニング信号を更に含む該制御信号を該コントローラに供給するために中間周波ステージを含む、
請求項３記載のテレビジョンシステム。
【請求項５】
周波数テーブルに従って、多数のチャネルは予め定義されたチャネルである、
請求項４記載のテレビジョンシステム。
【請求項６】
該ロック信号は、該フェーズロックループにおける発振器の入力信号の交流電流の内容から導出されるフェーズロックループのロックビットである、
請求項５記載のテレビジョンシステム。
【請求項７】
ビデオ信号を同調するためのチューナ、該チューナを制御するためのコントローラ、該チューナからの同調された信号を受信し、少なくとも１つの制御信号を該コントローラに供給するステージを有するテレビジョンシステムにおける使用のためのコントローラであって、該ステージはフェーズロックループを含み、該制御信号は、該フェーズロックループから生じるロック信号を含む、
ことを特徴とするコントローラ。
【請求項８】
該テレビジョンシステムは、該ステージから生じるビデオ信号を同期させ、少なくとも１つの同期信号を該コントローラに供給するための同期発生手段を有し、該コントローラは、該ロック信号に依存して、該同期信号であるか否かを考慮するためのスイッチを含む、
請求項７記載のコントローラ。
【請求項９】
ビデオ信号を同調するチューナ、及び該チューナからの同調された信号を受けるためのステージを有するテレビジョンシステムにおける使用のための方法であって、
該方法は、該ステージから生じる少なくとも１つの制御信号に応答して該チューナを制御するステップを有し、
該ステージはフェーズロックループを含み、該制御信号は該フェーズロックループから生じるロック信号を含む、
ことを特徴とする方法。
【請求項１０】
ビデオ信号を同調するためのチューナ、及び該チューナからの同調された信号を受けるためのステージを有するテレビジョンシステムでの使用のためのプロセッサプログラムであって、
該プロセッサプログラムは、該ステージから生じる少なくとも１つの制御信号に応答して該チューナを制御する機能を有し、
該ステージはフェーズロックループを含み、該制御信号は該フェーズロックループから生じるロック信号を含む、
ことを特徴とするプロセッサプログラム。
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
装置の通信アドレスを設定する方法であって、
主アドレスを取得し、
前記主アドレスを前記装置の通信アドレスとして用い、
前記主アドレスを通信アドレスとして用いるときに衝突が生ずるか否かを監視し、
前記装置の通信アドレスとして使用される新しい主アドレスを取得することにより衝突を解決する方法であって、
前記方法は、
バックアップ・アドレスを取得し、
前記衝突を解決するときに、前記主アドレスとの衝突が生ずれば前記装置の通信アドレスとして前記バックアップ・アドレスを用いることを特徴とする、方法。
【請求項２】
前記方法は、前記装置とのオープン・コネクションを維持する、請求項１記載の方法。
【請求項３】
前記方法は、前記バックアップ・アドレスとの衝突が生ずれば、新しいバックアップ・アドレスを取得する、請求項１記載の方法。
【請求項４】
装置の通信アドレスを設定するシステムであって、
主アドレスを取得するようにされた取得手段と、
前記主アドレスを前記装置の通信アドレスとして用いるようにされた使用手段と、
前記主アドレスを通信アドレスとして用いるときに衝突が生ずるか否かを監視するようにされた監視手段と、
前記装置の通信アドレスとして使用される新しい主アドレスを取得することにより衝突を解決するようにされた解決手段とを有する、システムであって、
前記取得手段は、更に、バックアップ・アドレスを取得するようにされ、
前記解決手段は、更に、前記主アドレスとの衝突が生ずれば前記装置の通信アドレスとして前記バックアップ・アドレスを用いるようにされたことを特徴とする、システム。
【請求項５】
前記システムは、前記装置とのオープン・コネクションを維持するようにされた維持手段を有する、請求項１記載のシステム。
【請求項６】
前記取得手段は、前記バックアップ・アドレスとの衝突が生ずれば、新しいバックアップ・アドレスを取得するようにされる、請求項１記載のシステム。
【請求項７】
請求項４乃至６のうちいずれか一項記載のシステムを有するインターネット接続可能な装置。
【請求項８】
請求項１による方法を実行するよう設計されたコンピュータプログラム。
【請求項９】
請求項８に記載のコンピュータプログラムを含む記憶装置。